【手続補正書】
【提出日】平成19年4月23日(2007.4.23)
【手続補正１】
【補正対象書類名】特許請求の範囲
【補正対象項目名】全文
【補正方法】変更
【補正の内容】
【特許請求の範囲】
【請求項１】
入力した文字情報に基づいて、処理対象物に墨字印刷と点字打刻とを重ねて行う印刷／打刻複合装置の印刷処理方法であって、
前記文字情報に基づいて、前記墨字印刷の文字サイズを判別する判別手段を用い、
前記判別手段により、前記墨字印刷の文字サイズが所定のサイズ以下に設定されていると判別された場合に、前記墨字印刷を禁止することを特徴とする印刷／打刻複合装置の印刷処理方法。
【請求項２】
前記所定のサイズは、前記点字打刻における打刻凸部の平面サイズと略同一のサイズであることを特徴とする請求項１に記載の印刷／打刻複合装置の印刷処理方法。
【請求項３】
入力した文字情報に基づいて、処理対象物に対し、墨字印刷および点字打刻を重ねて行う印刷／打刻処理手段と、
前記入力した墨字印刷の文字サイズを設定するサイズ設定手段と、
前記サイズ設定手段において設定された文字サイズが所定のサイズ以下に設定されているか否かを判別する判別手段と、
前記判別手段により、前記設定された文字サイズが所定のサイズ以下に設定されていると判別された場合、前記印刷／打刻処理手段による前記墨字印刷を禁止する墨字印刷禁止手段と、を備えたことを特徴とする印刷／打刻複合装置。
【請求項４】
前記所定のサイズは、前記点字打刻における打刻凸部の平面サイズと略同一のサイズであることを特徴とする請求項３に記載の印刷／打刻複合装置。
【請求項５】
前記墨字印刷禁止手段により前記墨字印刷が禁止された場合、前記設定された文字サイズを前記所定のサイズを超える文字サイズに変更するサイズ変更手段を、さらに備えたことを特徴とする請求項３または４に記載の印刷／打刻複合装置。
【請求項６】
前記処理対象物の特定の領域幅内に納まるように、前記文字情報が複数行に渡って入力され且つ行単位で文字サイズが設定されており、
前記文字サイズの変更に伴って、前記文字情報が前記特定の領域幅内に納まらなくなる場合、
前記サイズ変更手段は、特定の領域幅内に納まるように、前記サイズ変更した行を除く他行の文字サイズを、さらに変更することを特徴とする請求項５に記載の印刷／打刻複合装置。
【請求項７】
前記処理対象物の特定の領域幅内に納まるように、前記文字情報が複数行に渡って入力され且つ行単位で文字サイズが設定されており、
前記文字サイズの変更に伴って、前記文字情報が前記特定の領域幅内に納まらなくなる場合、
前記サイズ変更手段は、指定した特定行の文字列を削除することを特徴とする請求項５に記載の印刷／打刻複合装置。
【請求項８】
前記入力した文字情報の全部または一部を、点字打刻対象として指定する打刻文字指定手段を、さらに備えたことを特徴とする請求項３ないし７のいずれか１項に記載の印刷／打刻複合装置。
【請求項９】
前記文字情報は、複数行に亘って入力することが可能であり、
前記打刻文字指定手段は、前記点字打刻対象を行単位で指定可能に構成されていることを特徴とする請求項８に記載の印刷／打刻複合装置。
【請求項１０】
入力した文字情報に基づいて、処理対象物に対し、墨字印刷および点字打刻を重ねて行う印刷／打刻処理手段と、
前記入力した墨字印刷の文字サイズを設定するサイズ設定手段と、
前記サイズ設定手段による所定のサイズ以下のサイズ設定を禁止する所定サイズ設定禁止手段と、を備えたことを特徴とする印刷／打刻複合装置。
【請求項１１】
前記所定のサイズは、前記点字打刻における打刻凸部の平面サイズと略同一のサイズであることを特徴とする請求項１０に記載の印刷／打刻複合装置。
【請求項１２】
コンピュータを、請求項３ないし１１のいずれか１項に記載の印刷／打刻複合装置における各手段として機能させるためのプログラム。
【手続補正２】
【補正対象書類名】明細書
【補正対象項目名】０００５
【補正方法】変更
【補正の内容】
【０００５】
本発明の印刷／打刻複合装置の印刷処理方法は、入力した文字情報に基づいて、処理対象物に墨字印刷と点字打刻とを重ねて行う印刷／打刻複合装置の印刷処理方法であって、文字情報に基づいて、墨字印刷の文字サイズを判別する判別手段を用い、判別手段により、墨字印刷の文字サイズが所定のサイズ以下に設定されていると判別された場合に、墨字印刷を禁止することを特徴とする。
【手続補正３】
【補正対象書類名】明細書
【補正対象項目名】０００６
【補正方法】変更
【補正の内容】
【０００６】
また、この場合、所定のサイズは、点字打刻における打刻凸部の平面サイズと略同一のサイズであることが望ましい。
【手続補正４】
【補正対象書類名】明細書
【補正対象項目名】０００７
【補正方法】変更
【補正の内容】
【０００７】
また、本発明の印刷／打刻複合装置は、入力した文字情報に基づいて、処理対象物に対し、墨字印刷および点字打刻を重ねて行う印刷／打刻処理手段と、入力した墨字印刷の文字サイズを設定するサイズ設定手段と、サイズ設定手段において設定された文字サイズが所定のサイズ以下に設定されているか否かを判別する判別手段と、判別手段により、設定された文字サイズが所定のサイズ以下に設定されていると判別された場合、印刷／打刻処理手段による墨字印刷を禁止する墨字印刷禁止手段と、を備えたことを特徴とする。
【手続補正５】
【補正対象書類名】明細書
【補正対象項目名】０００８
【補正方法】変更
【補正の内容】
【０００８】
また、この場合、所定のサイズは、点字打刻における打刻凸部の平面サイズと略同一のサイズであることが望ましい。
【手続補正６】
【補正対象書類名】明細書
【補正対象項目名】００１０
【補正方法】変更
【補正の内容】
【００１０】
また、この場合、墨字印刷禁止手段により墨字印刷が禁止された場合、設定された文字サイズを所定のサイズを超える文字サイズに変更するサイズ変更手段を、さらに備えることが好ましい。
【手続補正７】
【補正対象書類名】明細書
【補正対象項目名】００１２
【補正方法】変更
【補正の内容】
【００１２】
また、この場合、処理対象物の特定の領域幅内に納まるように、文字情報が複数行に渡って入力され且つ行単位で文字サイズが設定されており、文字サイズの変更に伴って、文字情報が特定の領域幅内に納まらなくなる場合、サイズ変更手段は、特定の領域幅内に納まるように、サイズ変更した行を除く他行の文字サイズを、さらに変更することが好ましい。
【手続補正８】
【補正対象書類名】明細書
【補正対象項目名】００１４
【補正方法】変更
【補正の内容】
【００１４】
また、この場合、処理対象物の特定の領域幅内に納まるように、文字情報が複数行に渡って入力され且つ行単位で文字サイズが設定されており、文字サイズの変更に伴って、文字情報が特定の領域幅内に納まらなくなる場合、サイズ変更手段は、指定した特定行の文字列を削除することが好ましい。
【手続補正９】
【補正対象書類名】明細書
【補正対象項目名】００２０
【補正方法】変更
【補正の内容】
【００２０】
本発明の印刷／打刻複合装置は、入力した文字情報に基づいて、処理対象物に対し、墨字印刷および点字打刻を重ねて行う印刷／打刻処理手段と、入力した墨字印刷の文字サイズを設定するサイズ設定手段と、サイズ設定手段による所定のサイズ以下のサイズ設定を禁止する所定サイズ設定禁止手段と、を備えたことを特徴とする。
【手続補正１０】
【補正対象書類名】明細書
【補正対象項目名】００２１
【補正方法】変更
【補正の内容】
【００２１】
また、この場合、所定のサイズは、点字打刻における打刻凸部の平面サイズと略同一のサイズであることが好ましい。
【手続補正１１】
【補正対象書類名】明細書
【補正対象項目名】００２３
【補正方法】変更
【補正の内容】
【００２３】
本発明のプログラムは、コンピュータを、上記のいずれかに記載の印刷／打刻複合装置における各手段として機能させることを特徴とする。
【手続補正１２】
【補正対象書類名】明細書
【補正対象項目名】００４１
【補正方法】変更
【補正の内容】
【００４１】
また、打刻ユニット８０は、図３に示すように、テープＴの裏面側に配設されると共にガイドブロック４５に上記３個の打刻ピン４１を組み込んだ打刻部材８１（打刻ヘッド）と、各打刻ピン４１を打刻アーム４６を介して打刻動作させる３個のソレノイド４７と、テープＴを挟んで打刻部材（打刻ピン４１）８１と対向する位置に設けられた打刻受け部材８２とで構成されている（図３（ｂ）参照）。打刻受け部材８１には、３個の打刻ピン４１に対応する３個の受け溝４３が設けられており、ソレノイド４７を駆動して打刻ピン４１を受け溝４３に向かって打刻動作させることにより、テープＴに打刻凸部が形成されるようになっている。また、打刻ユニット８０は、テープ走行路７０の幅方向における手前側に片寄って固定配置されている（図３（ａ）参照）。従って、最大幅（２４ｍｍ）のテープＴ１に点字打刻を行う場合は、テープＴ１の幅方向における下半部に点字打刻を行うこととなる（図５参照）。
【手続補正１３】
【補正対象書類名】明細書
【補正対象項目名】００４６
【補正方法】変更
【補正の内容】
【００４６】
次に、図５を参照し、点字打刻部３０におけるテープＴの送りについて説明する。上記のとおり、点字打刻部３０は、打刻ピン４１によりテープＴに打刻凸部２０２を形成する打刻ユニット８０、テープＴが送られるテープ走行路７０、並びにテープ走行路７０に沿ってテープＴを搬送するテープ送り機構６０を備える他、テープＴの送りをガイドするテープガイド部材７１，７２と、テープＴの先端を検出する透過型の先端検出センサ１４２と、をさらに備えている。
【手続補正１４】
【補正対象書類名】明細書
【補正対象項目名】００４８
【補正方法】変更
【補正の内容】
【００４８】
このとき、テープ先端から打刻開始位置までの前余白長が、打刻ユニット８０（打刻ピン４１）と、先端検出センサ１４２との間の長さＬ１よりも短く設定されている場合は（但し、送りローラ６１の位置関係上、前余白長が打刻ユニット８０と送りローラ６１との間の長さＬ２よりも長く設定されていることが前提となる）、送りローラ６１を逆回転させることでテープＴを送り戻し、特定の位置（頭出し位置）まで送ったところで打刻および正方向へのテープ送りを開始する。そして、打刻終了後テープ送り機構６０により所定長さのテープ送りを行うことで、打刻テープ排出部３４からテープＴを排出する。
【手続補正１５】
【補正対象書類名】図面
【補正対象項目名】図３
【補正方法】変更
【補正の内容】
【図３】
2006001133.tif 000001
【手続補正１６】
【補正対象書類名】図面
【補正対象項目名】図５
【補正方法】変更
【補正の内容】
【図５】
2006001133.tif 000002
【手続補正１７】
【補正対象書類名】図面
【補正対象項目名】図６
【補正方法】変更
【補正の内容】
【図６】
2006001133.tif 000003